(57)【要約】 【課題】段積み作業が簡単にでき、しかも横ずれを確実に防止し得る保存箱を提供することにある。【解決手段】上部が開放された蓋の無い段ボール製の箱本体１０と、箱本体１０の外側面に上下方向に抜き差し自在に装着される筒状の段ボール製の外枠２０とを備え、箱本体１０と外枠２０を上下方向に相対移動不能に固定した物品保存箱であって、外枠２０の上下端面２０Ａ，２０Ｂを段ボールの断裁面によって構成すると共に、物品保存箱を段積みする際に外枠２０の上下端面２０Ａ，２０Ｂ同士が接触する構成とし、外枠２０に段積みした上下の物品保存箱の横ずれを規制する横ずれ規制部７０を設けたことを特徴とする。【選択図】  図２
2006341853.tif 000002
【特許請求の範囲】
【請求項１】
上部が開口する蓋の無い段ボール製箱本体と、該箱本体の外側面に嵌合される筒状の段ボール製外枠と、を備え、前記箱本体と外枠を結合して構成される物品保存箱であって、
前記外枠の上下端面を段ボールの断裁面によって構成すると共に、物品保存箱を段積みする際に下段の物品保存箱の外枠上端面に上段の物品保存箱の外枠の下端面が載置される構成とし、前記外枠に、段積みした上下の物品保存箱の横ずれを規制する横ずれ規制部を設けたことを特徴とする物品保存箱。
【請求項２】
外枠を構成する段ボールは、中芯の波形の稜線方向が上下方向に延び、上下端面には中芯の波形断面が露出する構成となっていることを特徴とする請求項１に記載の物品保存箱。
【請求項３】
外枠は複数枚の段ボールを重ね合わせた多重構造であることを特徴とする請求項１又は２に記載の物品保存箱。
【請求項４】
横ずれ規制部は、段積みされた下段の物品保存箱の外枠上端面と上段の物品保存箱の外枠下端面の当接面間に設けられた互いに凹凸係合する凹部と凸部によって構成されることを特徴とする請求項１乃至３のいずれかの項に記載の物品保存箱。
【請求項５】
外枠外側面から箱本体内側面に貫通する手掛け穴を備え、該手掛け穴を利用して外枠と箱本体を結合する結合具を備えていることを特徴とする請求項１乃至４のいずれかの項に記載の物品保存箱。
【請求項６】
結合具は、手掛け穴の上縁と外枠および箱本体の上端面間の部位に巻き付け固定される段ボール製シートであることを特徴とする請求項５に記載の物品保存箱。
【請求項７】
外枠の外側面には筒状に成形された段ボール製の補強枠が装着される請求項１乃至６のいずれかの項に記載の物品保存箱。
【請求項８】
箱本体とは別体の蓋が付属品として設けられ、段積みされた最上段の物品保存箱の上部開口部を閉塞する構成となっている請求項１乃至８のいずれかの項に記載の物品保存箱。
【発明の詳細な説明】
【技術分野】
【０００１】
本発明は、たとえば書類の保存等に用いられる物品保存箱に関し、特に段ボール製の物品保存箱に関する。
【背景技術】
【０００２】
従来から不要になった書類は、段ボール箱に詰めて倉庫に段積みして保管するのが一般的である。しかし、既存の段ボール箱では、スタッキング性を考慮していないので、積み上げる際に横ずれし、積み上げる段数が多くなればなるほど、ずれ量が重畳されて不安定となる。
スタッキング性を考慮した箱としては、たとえば特許文献１，特許文献２に示すような段ボールトレーが提案されている。この段ボールトレーは、下段のトレーの側壁上端面に上段のトレーの底壁側縁部を載置する構成で、下段のトレー上端面に設けた係合突起を上段のトレーの底壁側縁部に設けた係合孔に係合させるように構成されている。
【０００３】
しかし、この段ボールトレーでは、横ずれは規制できるものの、積載面となるトレーの側壁上端面は段ボールを折り曲げて成形した折り面によって構成されているので、完全な平面とはならない。特に、側壁上端面の幅は狭いので、両側の折り線の影響で中央部が高い湾曲面形状となり、段積みした際に、下段トレーの側壁上端面と底壁との接触面間に隙間ができ、安定性が悪くなると共に、見栄えも悪い。
さらに、従来の段ボールトレーでは、下段側のトレーに、上段に積み上げたトレーの数だけ荷重が加算されて加わるので、書類等の重量のある物品を収納する場合には負荷される荷重が過大となって下段側のトレーが変形し、ますます安定性が悪くなるおそれがある。トレーが変形しないようにするためには、たとえば段ボールの厚みを厚くすればよいが、そうすると、側壁上端面の湾曲が大きくなるので、かえって安定性が悪くなるし、また、あまり厚くすると箱形状に成形するのも困難となる。
また、積み上げる際に、上段トレー底壁の係合穴に下段トレーの係合突起を位置合わせして差し込む必要があるが、上段トレーの係合穴はトレー底壁に位置しているので、係合突起との起置合わせは勘に頼った作業となり、作業性が悪い。特に、書類等を保存する保存箱に利用する場合には、箱自体が比較的深く大きくなるので、書類が入った重い箱を両手で持ち上げた状態で、係合突起を係合穴に差し込まなければならず、作業性が著しく悪くなってしまう。
【特許文献１】特開平１１−２７８４６２号
【特許文献２】特開平１１−２５５２３８号
【発明の開示】
【発明が解決しようとする課題】
【０００４】
本発明は上記した従来技術の課題を解決するためになされたもので、その目的とするところは、段積み作業が簡単にでき、しかも横ずれを確実に防止して段積み時の安定性の高い物品保存箱を提供することにある。
【課題を解決するための手段】
【０００５】
上記目的を達成するために、請求項１に係る発明は、上部が開口する蓋の無い段ボール製箱本体と、該箱本体の外側面に嵌合される筒状の段ボール製外枠と、を備え、前記箱本体と外枠を結合して構成される物品保存箱であって、前記外枠の上下端面を段ボールの断裁面によって構成すると共に、物品保存箱を段積みする際に下段の物品保存箱の外枠上端面に上段の物品保存箱の外枠の下端面が載置される構成とし、前記外枠に、段積みした上下の物品保存箱の横ずれを規制する横ずれ規制部を設けたことを特徴とする。
請求項２に係る発明は、外枠を構成する段ボールは、中芯の波形の稜線方向が上下方向に延び、上下端面には中芯の波形断面が露出する構成となっていることを特徴とする。
請求項３に係る発明は、外枠は複数枚の段ボールを重ね合わせた多重構造であることを特徴とする。
請求項４に係る発明は、横ずれ規制部が、段積みされた下段の物品保存箱の外枠上端面と上段の物品保存箱の外枠の下端面の当接面間に設けられた互いに凹凸係合する凹部と凸部によって構成される。
請求項５に係る発明は、外枠外側面から箱本体内側面に貫通する手掛け穴を備え、該手掛け穴を利用して外枠と箱本体を結合する結合具を備えていることを特徴とする。
【０００６】
請求項６に係る発明は、結合具は、手掛け穴の上縁と外枠および箱本体の上端面間の部位に巻き付け固定される段ボール製シートであることを特徴とする。
請求項７に係る発明は、外枠の外側面には筒状に成形された段ボール製の補強枠が装着される。
請求項８に係る発明は、箱本体とは別体の蓋が付属品として設けられ、段積みされた最上段の物品保存箱の上部開口部を閉塞する構成となっている。
【発明の効果】
【０００７】
請求項１に係る発明によれば、積載面を箱本体の上端面ではなく、箱本体の外側面に嵌合される外枠の上下端面とし、外枠の上下端面を平面度の高い断裁面としたので、断積み時に、上下段の物品保存箱の外枠の上下端面同士が隙間無く密接し、安定して積載することができる。また、外枠に横ずれ規制部が設けられているので、外枠同士がずれることなくまっすぐに積載することができ、整然と安定して積み上げることができる。
その結果、従来段ボール箱が雑然と積み上げられていた書類倉庫の雰囲気が、整然とした快適な空間となり、作業環境の改善も図ることができる。
また、上段からの荷重は外枠によって支持するので、多段に積み上げても下位の箱本体に荷重はかからない。したがって、箱本体自体は収納される物品の荷重が作用するだけで上方からの荷重によってつぶれたり変形するおそれがない。また、積み上げ荷重を負荷するために外枠の厚みを厚くしても、外枠の上下端面は段ボールの断裁面によって構成されているので、高い平面度が維持され、大荷重に対して強く、しかも積み上げ安定性も高い物品保存箱を実現できる。
また、横ずれ規制部が外枠に設けられているので、従来の段ボールトレーのように係合突起と係合穴を差込むような面倒な作業が不要で、側方から目視で簡単に確認でき、段積み作業が容易にできる。
さらに、段積みした際に、上下の保存箱の外枠同士が密接し、下位の保存箱の箱本体が、外枠と上位の箱本体の底面とによって外部空間と遮断されるので、梱包する際に蓋をする必要がなく、取り出す際も蓋を開ける作業が不要で、書類の出し入れに要する労力が大幅に軽減される。
【０００８】
請求項２に係る発明によれば、外枠を構成する段ボールは、中芯の波形の稜線方向を上下方向とし、上下端面には中芯の波形断面が露出する断裁面としたので、外枠の剛性をより大きくでき、安定性向上を図ることができる。
請求項３に係る発明によれば、外枠は複数枚の段ボールを重ね合わせた多重構造としたので、より一層安定性が向上する。また、安価な一般的な厚さの段ボールを重ね合わせることにより、コストも安くなる。
【０００９】
請求項４に係る発明によれば、横ずれ規制部は、凸部と凹部がはまり合う構成としたので、外枠の側縁に沿った両方向の横ずれを規制することができる。
請求項５に係る発明によれば、結合具は外枠と箱本体を貫通する手掛け穴を通して結合する構造となっているので、外枠と箱本体の結合だけでなく、手掛け部の補強を図ることができる。
【００１０】
請求項６に係る発明のように、結合具も段ボール製とすれば、リサイクルする際にも分別する必要がなく便利である。また、すべて自然に還る紙で構成できるので、廃棄する際にも環境への負荷は小さい。
請求項７に係る発明によれば、外枠の外側面に補強枠を装着したので、外枠の補強を図ることができると共に、デザイン性を高めることができる。
請求項８に係る発明によれば、箱本体とは別体の蓋を設け、段積みされた最上段の物品保存箱の上部開口部を閉塞する構成となっているので、蓋は一つで済む。
【発明を実施するための最良の形態】
【００１１】
以下に本発明を図示の実施の形態に基づいて説明する。
図１および図２は本発明の実施の形態に係る段ボール製の物品保存箱の一例を示している。
この物品保存箱１は書類等を保存するもので、図１に示すように、段ボール製の箱本体１０と、箱本体１０の外側面に上下方向に抜き差し自在に装着される段ボール製の外枠２０と、外枠２０の外側面に抜き差し自在に装着される補強枠３０と、箱本体１０，外枠２０および補強枠３０を結合する結合具５０と、を備え、さらに、付属具として箱本体１０の開口部を塞ぐ蓋６０が設けられている。蓋６０は最上段の物品保存箱１の箱本体１０の開口部を塞ぐものである。
外枠２０の上端面２０Ａおよび下端面２０Ｂは段ボールの断裁面によって構成され、物品保存箱を段積みする際に、図２に示すように、下段の物品保存箱1の外枠上端面２０Ａに上段の物品保存箱１の外枠２０の下端面２０Ｂが載置される構成で、上段の物品保存箱１の荷重を外枠２０で支持するようになっている。
この実施の形態では、図２（Ｂ），（Ｃ）に示すように、箱本体１０，外枠２０および補強枠３０の高さはすべて同一高さに設定されており、図２（Ｄ）に示すように、箱本体１０と補強枠３０の上端面も外枠２０の上端面２０Ａと同一平面上に位置し、箱本体１０の底面および補強枠３０の下端面も外枠２０の下端面２０Ｂと同一平面上に位置している。したがって、この実施の形態では、上段の箱本体１０の底面側縁部が下段の箱本体１０の上端面に接触する寸法関係にあるが、基本的には上段の荷重は高剛性の外枠２０で支持される。箱本体１０の底面を外枠２０の下端面２０Ｂより高い位置とし、箱本体１０同士は非接触としてもよい。
【００１２】
また、外枠２０には、段積みした上下の物品保存箱の横ずれを規制する横ずれ規制部７０を設けられている。横ずれ規制部７０は、この実施の形態では、外枠上端面２０Ａに設けられた一対の凸部７１,７１と、この凸部７１に対応して外枠下端面２０Ｂに設けられた一対の凹部７２，７２とから構成され、段積みした際に、下段の物品保存箱１の上端面２０Ａに設けられた凸部７１，７１が上段の物品保存箱の下端面２０Ｂに設けられた凹部７２，７２に係合するようになっている。
箱本体１０は、図３（Ａ）に示すように上部が開放された直方体形状で、四角筒形状の胴部１０Ａと、胴部１０Ａの下端を閉塞する底壁１５とを備えている。胴部１０Ａは、前後一対の側壁１１，１２と、左右一対の端壁１３，１４とを備え、左右端壁１３，１４には、その上端寄りに長方形状の手掛け穴１７，１７が設けられている。
ここで、前後左右とは、作業者が対面する側を前、反対側を後、向かって左側を左、右側を右として説明する。以下、外枠２０，補強枠３０も同様である。
箱本体１０は、図３（Ｂ），（Ｃ）に示すように、胴部１０Ａが平行四辺形状に折り畳み可能で、底壁１５は内側に折り込まれる構成となっている。図示例では前側壁１１と右端壁１４との角部Ｃ１２および後側壁１２と左端壁１３との角部Ｃ１４の角度が直角から小さくなる方向に屈曲し、前側壁１１と左端壁１３との角部Ｃ１１および後側壁１２と右端壁１４との角部Ｃ１４の角度が直角から大きくなる方向に広がり、完全に折り畳まれると、図３（Ｄ）に示すように、左端壁１３と前側壁１１が連なる長方形状の折り畳み面１０Ｂと、後側壁１２と右端壁１４が連なる長方形状の折り畳み面１０Ｃが表裏で重なる大きさとなり、この折り畳み面１０Ｂ，１０Ｃ間に底壁１５が折り込まれる。
【００１３】
底壁１５は、前後側壁１１，１２に連接される前後底壁フラップ１５１，１５２と、左右端壁１３，１４に連接される左右底壁フラップ１５３，１５４によって構成され、屈曲する角部Ｃ１２の両側の前底壁フラップ１５１と右底壁フラップ１５４が、図中斜線で示される接着部Ｌ１にて接着固定されて底壁構成板１５Ａが構成され、角部Ｃ１４の両側の後底壁フラップ１５２と左底壁フラップ１５３が、図中斜線で示される接着部Ｌ２にて接着固定されて底壁構成板１５Ｂが構成されている。また、前底壁フラップ１５１の図中左半部、後底壁フラップ１５２の図中右半部の先端部には、相手方フラップの先端部に重なるように所定量突出する先端重なり部１５１ａ，１５２ａが設けられている。
底壁構成板１５Ａ，１５Ｂには、屈曲する角部Ｃ１２，Ｃ１４から４５°の角度の折り線ｎ１１，ｎ１２が付けられており、胴部１０Ａの角部Ｃ１２，Ｃ１４を屈曲させると、底壁１５の各底壁構成板１５Ａ，１５Ｂは折り線ｎ１１，ｎ１２に沿って内側に屈曲し、側壁１１と端壁１４間および側壁１２と端壁１３間に折り込まれていく。
【００１４】
箱本体１０を構成する段ボールの材質は、保存する収納物に応じて選定されるが、書類を保存する場合には、厚みが５ｍｍ程度のＢフルート（ＢＦ）、ライナの強度がＫ５程度で十分である。本発明では、段積みした際の上部重量は外枠２０で支持する構造なので、箱本体１０については、上部重量を考慮する必要がなく、保存する収納物の重量等を考慮するだけでよい。
また、底壁１５を構成する一対の底壁構成板１５Ａ，１５Ｂは重なっているだけなので、書類等の重量物を収納する場合には、図３（Ｆ）に示すように、敷板４０が載置される。敷板４０の四箇所の角部はカットされ、コーナーカット部４１となっている。この敷板４０には、Ｗフルート（ＷＦ）構造の段ボールが用いられる。段ボール中芯の波形の稜線は、図中、矢印Ｆ４０に一部破断して示すように、敷板４０の長手方向に延びている。
【００１５】
図３（Ｅ）は、箱本体１０を展開したブランク１１０の一例を示している。
ブランク１１０は１枚構成で、箱本体１０の胴部１０Ａを、前側壁１１と左端壁１３間の角部で縦に切断して横に展開した構成となっている。
すなわち、左から、前側壁１１，右端壁１４，後側壁１２，左端壁１３の順番で、折り線ｍ１１，ｍ１２，ｍ１３を介して、横一連に連接され、左端に位置する前側壁１１の左側縁には、右端に位置する左端壁１３に接着固定される連結片１６が折り線ｍ１４を介して連接されている。段ボールを構成する中芯の波形の稜線方向は、図中、矢印Ｆ１０に一部破断して示すように、前後側壁１１，１２および左右端壁１３，１４の上端に波形断面が現れるように縦方向に延びている。
【００１６】
また、前後側壁１１，１２の底壁側の端縁には、折り線ｍ１５，ｍ１６を介して底壁１５を構成する前後底壁フラップ１５１，１５２が連接され、左右端壁１３，１４の底壁側の端縁には、折り線ｍ１７，ｍ１８を介して底壁１５を構成する左右底壁フラップ１５３，１５４が連接されている。
前底壁フラップ１５１は前側壁１１の長さを長辺、隣接する右端壁１４の長さの約半分を短辺とする長方形状で、前側壁１１との折り線ｍ１５の右端壁１４側の端部から４５度の角度で折り線ｎ１１が設けられている。この折り線ｎ１１を底辺とし角部を頂点とする直角三角形状の領域が、右底壁フラップ１５４の接着予定領域１５５Ｌに接着される連結片部１５５となる。
また、後底壁フラップ１５２は後側壁１２の長さを長辺、隣接する左端壁１３の長さの約半分を短辺とする長方形状で、後側壁１２との折り線ｍ１６の左端壁１３側の端部から４５度の角度で折り線ｎ１２が設けられている。この折り線ｎ１２を底辺とし角部を頂点とする直角三角形状の領域が、左底壁フラップ１５３の接着予定領域１５６Ｌに接着される連結片部１５６となる。
【００１７】
外枠２０は、図４（Ａ）に示すように四角筒形状の枠体で、前後一対の側壁２１，２２と、左右一対の端壁２３，２４とを備えている。外枠２０内周の形状寸法は箱本体１０の胴部１０Ａ外周の形状寸法とほぼ等しく、互いに密接嵌合する構成となっている。すなわち、前後側壁２１，２２の内側面間の寸法は箱本体１０の前後側壁１１，１２の外側面間の寸法とほぼ等しく、左右端壁２３，２４の内側面間の寸法は箱本体１０の左右端壁１３，１４間の寸法とほぼ等しく、外枠２０の高さも箱本体１０の高さとほぼ等しくなっている。左右端壁２３，２４には、箱本体１０の手掛け穴１７に対応する手掛け穴２７が設けられている。
外枠上端面２０Ａは、前後側壁２１，２２と左右端壁２３，２４の上端面２０Ａ１，２０Ａ２，２０Ａ３，２０Ａ４によって構成されるもので、これらの上端面２０Ａ１，２０Ａ２，２０Ａ３，２０Ａ４は同一面上に位置している。また、外枠下端面２０Ｂは、前後側壁２１，２２と左右端壁２３，２４の下端面２０Ｂ１，２０Ｂ２，２０Ｂ３，２０Ｂ４によって構成され、こられの下端面２０Ｂ１，２０Ｂ２，２０Ｂ３，２０Ｂ４も同一平面上に位置している。
外枠２０は、段積みした際に重量を支持する部分で、前後側壁２１，２２は前後内側壁２１１，２２１と前後外側壁２１２，２２２を重ね合わせた二重構造、左右端壁２３，２４も左右内端壁２３１，２３２と左右外端壁２４１，２４２を重ね合わせた二重構造となっている。
【００１８】
これら二重構造の前後側壁２１，２２および左右端壁２３，２４を構成する段ボールは、矢印Ｆ２０に一部破断して示すように、すべて中芯の波形の稜線が上下方向に延び、前後側壁２１，２２および左右端壁２３，２４の上端面２０Ａ１，２０Ａ２，２０Ａ３，２０Ａ４および下端面２０Ｂ１，２０Ｂ２，２０Ｂ３，２０Ｂ４には段ボールの波形断面が断裁面が露出する構造となっている。段ボールの材質としては箱本体１０よりも分厚い強度の高い段ボールが用いられ、この実施の形態では、図４（Ｂ）に示すように、Ｗフルート構造の約８ｍｍの厚みの段ボールが用いられ、二枚重ねにすることにより約１６ｍｍ程度の厚みを確保している。厚みが厚いので、前後側壁２１，２２と左右端壁２３，２４間の折り目には、外側から切り込みが入れられている。この例では、前後外側壁２１２，２２２および左右外端壁２３２、２４２は完全に切断分離され、前後内側壁２１１，２２１および左右内端壁２３１，２４１間が、内側のライナーを残した状態まで切断され（半切り）、折り畳み自在の構成となっている。前後側壁２１，２２と左右端壁２３，２４の各角部Ｃ２１，Ｃ２２，Ｃ２３，Ｃ２４を直角にした状態では、切り込みの切断面が９０°の角度で露出する。
横ずれ防止部７０を構成する凸部７１と凹部７２については、この実施の形態では、前後側壁２１，２２の上端面２０Ａ１，２０Ａ２に凸部７１，７１が、前後側壁２１，２２の下端面２０Ｂ１，２０Ｂ２に凸部７１，７１に対応する凹部７２，７２が設けられている。
【００１９】
凸部７１は、図４（Ｃ）に示すように、前後側壁２１，２２の上端面２０Ａ１，２０Ａ２の中央部を部分的に一段高くした台形状で、凸部７１の上面７１ａは前後側壁２１，２２の上端面２０Ａ１，２０Ａ２と平行に直線的に延びる平坦面で、その左右両端部７１Ｌ，７１Ｒが傾斜面となっており、凸部２５，２６と凹部２７，２８をはめ合う際のガイドとして機能する。
凹部７２は、前後側壁２１，２２の下端面２０Ｂ１，２０Ｂ２に凸部７１に倣って台形状に窪ませた構成で、凹部７２の底面は前後側壁２１，２２の下端面２０Ｂと平行に前後側壁２１，２２の長手方向に延びる平坦面で、左右端部７２Ｌ，７２Ｒが凸部７１の左右端部７１Ｌ，７１Ｒと横方向に互いに係合し、矢印Ｘで示す左右方向（前後側壁２１，２２と平行方向）の横ずれを規制するようになっている。この凹部７２の左右端部７２Ｌ，７２Ｒも凸部７１の左右端部７１Ｌ，７１Ｒに倣って傾斜面となっている。
【００２０】
横ずれを規制するという観点では、凸部７１の上面７１ａと凹部７２の底面７２ａが接触する必要はなく、隙間が開いていてもよい。図示例のように凸部上面７１ａと凹部底面７２ａが接触する構成としておけば、この凸部上面７１ａと凹部底面７２ａ間でも上部荷重を分散して支持することができる。また、凸部７１の左右端部７１Ｌ，７１Ｒと凹部７２の左右端部７２Ｌ，７２Ｒとの間も、許容できる範囲で隙間があってもよい。
また、図４（Ｄ）に示すように、上段の物品保存箱１と下段の物品保存箱１の、矢印Ｙで示す前後方向の横ずれに関しては、下段の外枠２０の凸部７１，７１が上段の箱本体１０の前側壁１１および後側壁１２に係合することによって規制される。
図示例では、横ずれ規制部を構成する凸部７１と凹部７２を、前後側壁２１，２２に設けているが、凸部７１，凹部７２を前後側壁２１，２２ではなく、左右端壁２３，２４側に設けてもよいし、前後側壁２１，２２の一方の側壁と、左右端壁２３，２４の一方の側壁に設けてもよい。このようにすれば、前後左右４方向の横ずれをすべて規制することができる。
また、凸部７１と凹部７２を、前後側壁２１，２２のうちの一方の側壁のみに設けるだけでもよいし、左右端壁２３，２４のうちの一方の端壁のみに設けるだけでもよい。一方の側壁のみに設けた場合には、左右両方向の横ずれは規制されるが、前後方向の横ずれ規制については一方向のみとなる。また、一方の端壁のみに設けた場合には、前後方向の横ずれは規制されるが、左右方向の横ずれ規制については一方向のみとなる。
【００２１】
また、横ずれ規制部７０の構造としては、図４（Ｅ）に示すように、凹部７２を前後側壁２１（２２）の上端面２０Ａ１（２０Ａ２）に、凸部７１を前後側壁２１（２２）の下端面２０Ｂ１（２０Ｂ２）に設けてもよい。
また、凹凸係合する構造に限定されるものではなく  たとえば、図４（Ｆ）に示すように、前後側壁２１（２２）の上下端面２０Ａ１（２０Ａ２），２０Ｂ１（２０Ｂ２）に、段積みされた際に、左右いずれか一方向に係合する段差部７３，７４によって構成してもよい。段差部７３，７４は左右一方向の横ずれを規制するものであるが、一方の側壁２１に設ける段差部の係合方向と他方の側壁２２に設ける段差部の係合方向を、互いに左右逆向きにしておけば、左右両方向の横ずれを規制することができる。この場合も、前後方向の横ずれは、段差部７３と箱本体１０との係合によって規制することができる。
さらに、図４（Ｇ）に示すように、凸部７５が凹部７６に対して遊嵌状態で互いに接触せず、凸部７５が上段の箱本体１０の側面にのみ係合して横ずれを規制するような構造でもよい。たとえば、前側壁２１に凸部７５を設けた場合には、凸部７５が箱本体１０の前側壁１１の係合し、前後方向の横ずれを規制できる。また、図示しないが左右端壁１３，１４側に凸部を設けた場合には、凸部が箱本体１０の左右端壁に係合し、左右方向の横ずれを規制することができる。
【００２２】
図５（Ａ），（Ｂ）は、外枠２０を展開したブランク１２０の一例である。段ボールの材質は、ライナの強度がＫ６のＷフルートである。
ブランク１２０は、前後内側壁２１１，２２１および左右内端壁２３１，２４１、前後外側壁２１２，２２２および左右外端壁２３２，２４２を下端で連結して上下に展開した構成で、図では前後内側壁２１１，２２１および左右内端壁２３１，２４１を下側に、前後外側壁２１２，２２２および左右外端壁２３２，２４２を上側に配置しており、前後内側壁２１１，２２１および左右内端壁２３１，２４１は上下反対向きとなっている。
前後内側壁２１１，２２１および左右内端壁２３１，２４１は、左から、後内側壁２２１，右内端壁２４１，前内側壁２１１および左内端壁２３１の順に、折り線ｍ２１，ｍ２２，ｍ２３を介して横一連に連接され、後内側壁２２１および右内端壁２４１の図中上端縁（組立時には外枠２０下端）には、下端折り線ｎ２１，ｎ２２を介して後外側壁２２２および右外端壁２４２が、前内側壁２１１および左内端壁２３１の図中上端縁には、下端折り線ｎ２３，ｎ２４を介して前外側壁２１２および左外端壁２３２が連接されている。後外側壁２２２，右外端壁２４２，前外側壁２１２よび左外端壁２３２は、スリットｓ１，ｓ２，ｓ３を介して互いに独立している。
【００２３】
図中、左端に位置する後内側壁２２１の左端には、折り線ｍ２４を介して連結片１２１が連接されている。一方、図中右端に位置する左内端壁２３１には連結片１２１に対応する切り欠き１２２が設けられている。切り欠き１２２には、連結片１２１に設けられた凹部１２１ａに嵌り込む凸部１２２ａが設けられている。
なお、上記折り線ｍ２１，ｍ２２，ｍ２３，ｍ２４および下端折り線ｎ２１〜ｎ２４には、半切り状の切れ目が入れられている。
前内側壁２１１および前外側壁２１２の下端折り線ｎ２３と反対側の側縁は、重ね合わせると前側壁２１の上端面２０Ａ１となる部分で、側縁中央部に凸部７１を構成する内側凸部７１１および外側凸部７１２が設けられている。また、後内側壁２２１および後外側壁２２２の下端折り線ｎ２１と反対側の側縁は、後側壁２２の上端面２０Ａ２となる部分で、側縁中央部に凸部７１を構成する内側凸部７１１および外側凸部７１２が設けられている。
【００２４】
前内側壁２１１と前外側壁２１２の下端折り線ｎ２３の中央部には、凹部２７を構成する内側凹部７２１および外側凹部７２２が設けられている。この内側凹部７２１および外側凹部７２２は、下端折り線ｎ２３に対して上下対称に成形され、互いに合わさって抜き穴２１Ａとなっている。
後内側壁２２１と後外側壁２２２の下端折り線ｎ２１の中央部には凹部７２を構成する内側凹部７２１および外側凹部７２２が設けられている。この内側凹部７２１および外側凹部７２２は、下端折り線ｎ２１に対して上下対称に成形され、互いに合わさって抜き穴２２Ａとなっている。
左内端壁２３１および左外端壁２３２には、下端折り線ｎ２４に対して上下対称的に内側手掛け穴２７１，２７２が設けられ、互いに重なって一つの手掛け穴２７となる。また、右内端壁２４１および右外端壁２４２に、下端折り線ｎ２１に対して上下対称的に内側手掛け穴２７１，２７２が設けられ、互いに重なって一つの手掛け穴２７となる。
【００２５】
図６（Ａ）は、補強枠３０を示している。
補強枠３０は、外枠２０の外側面に嵌合する四角筒形状の枠体で、前後一対の側壁３１，３２と、左右一対の端壁３３，３４とを備えている。補強枠３０内周の形状寸法は外枠２０外周の形状寸法とほぼ等しく、互いに密接嵌合する構成となっている。すなわち、前後側壁３１，３２の内側面間の寸法は外筒２０の前後側壁２１，２２の外側面間の寸法とほぼ等しく、左右端壁３３，３４の内側面間の寸法は外枠２０の左右端壁２３，１４間の寸法とほぼ等しく、補強枠３０の高さ寸法も外枠２０の高さ寸法とほぼ等しくなっている。左右端壁３３，３４には、箱本体１０の手掛け穴１７および外枠２０の手掛け穴２７に対応する手掛け穴３７が設けられている。
さらに、前後側壁３１，３２と左右端壁３３，３４の角部は、所定幅だけ斜めにカットした形状の面取り角部Ｃ３１，Ｃ３２，Ｃ３３，Ｃ３４となっている。
外枠２０の角部Ｃ２１，Ｃ２２，Ｃ２３，Ｃ２４は、図４に示したように、前後側壁２１，２２の切断面と、左右端壁２３，２４の切断面がライナー一枚でつながっただけなので、この補強枠３０によって補強している。外枠２０の角部Ｃ２１，Ｃ２２，Ｃ２３，Ｃ２４は互いに直角に開いており、面取り角部Ｃ３１，Ｃ３２，Ｃ３３，Ｃ３４によって、外枠２０の角部Ｃ２１，Ｃ２２，Ｃ２３，Ｃ２４を覆うようになっている。
補強枠３０は外枠２０の補強だけでなく装飾としても機能し、適宜色や模様が施される。補強枠３０を構成する段ボールの厚みは箱本体１０よりも薄いもので十分で、この例ではＥフルート構造の約１．５ｍｍの厚みの段ボールが用いられる。段ボールの中芯の波形の稜線方向は、図中、矢印Ｆ３０に一部破断して示すように、水平方向に延びており、側壁３１，３２および端壁３３，３４の上端面および下端面には段ボールの波形断面が露出せず、波形の稜線方向の断裁面が露出する。
【００２６】
前後側壁３１，３２の上端縁には、外枠２０の凸部７１に対応する凸片３７１、３７１が設けられ、前後側壁３１，３２の下端縁には、外枠２０の凹部７２に対応する切り欠き３７２，３７２が設けられている。これらの凸片３７１および切り欠き３７２は、外枠２０の凸部７１および凹部７２の側面形状に倣った形状に成形される。
【００２７】
図６（Ｂ），（Ｃ）は、補強枠３０を展開したブランクの一例である。
ブランク１３１，１３２は、隣り合う側壁と端壁を一組にしたツーピースで構成される。ブランク１３１，１３２の形状は全く同一形状である。
すなわち、ブランク１３１は、面取り角部Ｃ３１、前側壁３１、面取り角部Ｃ３２および右端壁３４が折り線ｍ３１，ｍ３２，ｍ３３を介して横一連に連接され、左端に位置する面取り角部Ｃ３１に他方のブランク１３２の左端壁３３に接着固定される連結片１３３が内折線ｍ３４を介して連接されている。また右端壁３３には手掛け穴３７が設けられている。
ブランク１３２は、面取り角部Ｃ３３、後側壁３２、面取り角部Ｃ３４および左端壁３３が折り線ｍ１３１，ｍ１３２，ｍ１３３を介して横一連に連接され、一端に位置する面取り角部Ｃ３３に他方のブランク１３１の右端壁３４に接着固定される連結片１３４が内折線ｍ１３４を介して連接されている。また、右端壁３４には手掛け穴３７が設けられている。
【００２８】
図７（Ａ）乃至（Ｃ）は、付属具としての蓋６０を示している。
この蓋６０は、段積みの際には最上段の箱にのみ使用されるもので、箱本体１０の開口部を覆うようになっている。この蓋６０の外周形状は、図７（Ａ）に示すように、補強枠３０の外周形状に倣って、角部をカットした四角形状に成形された段ボール製の板材で、側縁部は外枠２０の上端面に載置される。そして、蓋６０の前後側縁には、外枠２０の側壁上端面に設けられた凸部７１，７１に対応する位置に矩形状の切り欠き６１，６２が設けられ、この切り欠き６１，６２を凸部７１，７１に係合させることによって、蓋６０のずれが規制されている。蓋６０の厚みは、外枠２０と同様に、Ｗフルート構造の段ボールを二枚重ねにした構造とし、約１６ｍｍ程度の厚みのものを使用している。
【００２９】
図７（Ｂ）は、この蓋６０のブランクの構成例を示している。
このブランク１６０は、同一形状の内蓋６０１と外蓋６０２の長手方向の側縁同士を折線ｍ６１を介して連接したもので、折り線ｍ６１で折り畳んで重ね合わせ、合わせ面を接着して二重構造とするものである。折り線ｍ６１は、図７（Ｃ）に示すように、ライナーを一枚残した状態の半切り状態とする。蓋６０を構成する段ボールの中芯の波形稜線方向は、図中矢印Ｆ６０に一部破断して示すように、長手方向側縁と直角方向に延びている。
内蓋６０１および外蓋６０２の折り線ｍ６１に対して反対側の側縁は、重ね合わせると蓋６０の前側縁となる部分で、側縁中央部に切り欠き６１を構成する内側切り欠き６１１と外側切り欠き６１２が設けられている。
内蓋６０１と外蓋６０２の折り線ｍ６１は重ね合わると蓋６０の後側縁となる部分で、折り線ｍ６１上には、切り欠き６２を構成する内側切り欠き６２１と外側切り欠き６２２が設けられている。この内側切り欠き６２１と外側切り欠き６２２は、折り線ｍ６１に対して対称に成形され、互いに合わさって抜き穴６２Ａを構成する。
【００３０】
図７（Ｄ），（Ｅ），（Ｆ）は、結合具５０の構造を示している。
箱本体１０，外枠２０および補強枠３０を組み付けると、図７（Ｄ）に示すように、箱本体１０の左右端壁１３（１４）、外枠２０の左右端壁２３（２４）および補強枠３０の左右端壁３３（３４）が重なって一つの左右多重端壁３（４）が構成され、箱本体１０の左右端壁１３（１４）の手掛け穴１７、外枠２０の左右端壁２３（２４）の手掛け穴２７および補強枠３０の左右端壁３３（３４）の手掛け穴３７が重なって一つの手掛け穴７が構成される。この手掛け穴７の上縁と多重端壁３（４）の上端面間の部位である断面矩形状の手掛け部８に、結合具５０を巻き付けて一体的に結合する構成となっている。
【００３１】
結合具５０は、図７（Ｅ）に示すように、四角形状の薄肉の段ボールで構成されている。この例では、補強枠３０と同様のＥフルート構造の段ボールシートが用いられ、横幅が手掛け穴７より若干狭く、長さが手掛け部８の断面の周長よりも長くなっている。
結合具５０には、手掛け部８の角部８１，８２，８３，８４に対応する位置に、折り線ｍ５１，ｍ５２，ｍ５３，ｍ５４が設けられ、手掛け部８の左右方向の厚みに対応する幅を有する３箇所の幅広部５１，５２，５３と、この幅広部５１，５２，５３の間に設けられ手掛け部８の高さに対応する幅を有する２箇所の幅狭部５４，５５に区分されている。段ボールを構成する中芯の波形の稜線方向は、図中、矢印Ｆ５０で示すように、結合具５０の長手方向に延びている。
そして、図７（Ｆ）に示すように、両端の幅広部５１，５３が、手掛け部８の手掛け穴側あるいは上端面側で重ね合わされて接着固定され、箱本体１０，外枠２０および補強枠３０が上下方向に相対移動不能に結合される。
【００３２】
上記構成の段ボール製物品保存箱は、箱本体１０，外枠２０および補強枠３０は折り畳まれたコンパクトな形態とし、敷板４０，結合具５０，蓋６０および不図示のラベルと共にセットで提供される。箱本体１０、外枠２０および補強枠３０は、すべて高さ寸法が同一の一つの側壁と一つの端壁をつなげた長方形状の大きさとなり、保管時のスペースは小さくて済む。
使用する際には、箱本体１０の底壁１５を広げて立体形状とし、敷板４０を底壁１５内面に敷く。この状態で、外枠２０を広げて箱本体１０の外側面に差込み、さらに外枠２０の外側面に補強枠３０を差し込む。箱本体１０の底壁１５，外枠２０および補強枠３０の下端の位置を床面に揃えると、箱本体１０，外枠２０および補強枠３０の端壁に形成された手掛け穴７が一つに重なり、上記したように、結合具５０によって手掛け穴７上方の手掛け部８を結合することにより、物品保存箱１を簡単に組み立てることができる。
【００３３】
箱本体１０に書類を収納する際には、補強枠３０の外側面に適宜ラベルを貼り、倉庫に積み上げる。積み上げる際には、下段の保存箱１の外枠２０の側壁２１，２２上端面に設けられた凸部７１に、上段の保存箱１の外枠２０の側壁２１，２２下端面に設けられた凹部７２を凹凸係合させる。従来のように穴に差し込むのではなく、凸部７１と凹部７２の位置合わせが簡単に確認できるので、簡単に凹凸係合させて積み上げることができる。
この凸部７１と凹部７２の係合によって、下段の保存箱１と上段の保存箱の左右方向の横ずれが規制される。また、下段の保存箱１の凸部７１と上段の保存箱の箱本体１０の側壁２１，２２の外側面が係合するので、前後方向の横ずれも規制され、安定して保持され、崩れるおそれはない。
また、外枠２０の上下端部が密接するので、物品保存箱を整然と積載することができ、雑然としたイメージの倉庫内が整理された快適な作業空間となる。特に、補強枠３０に明るい色や装飾を施すことにより、快適な空間を演出することができる。
さらに、上段からの荷重は外枠２０によって支持するので、多段に積み上げても下段側の箱本体１０に荷重はかからない。したがって、箱本体１０自体は収納される物品の荷重が作用するだけで上方からの荷重によってつぶれたり変形するおそれがない。また、外枠２０はＷフルート（ＷＦ）構造の段ボールを２枚重ね合わせた分厚い構造で剛性が高く、上下端面は段ボールの断裁面によって構成されているので、高い平面度が維持され、大荷重に対して強く、しかも安定性が高い。
【００３４】
また、上段の外枠２０と下段の外枠２０が密接するので、物品保存箱１を積み上げるだけで、下段側の箱本体１０の上部開口部が密閉され、基本的に物品保存箱１を梱包する必要がなく、書類の収納保管の作業能率が格段に向上する。最上段の物品保存箱１についてのみ、付属の蓋６０で開口部を閉じる。蓋６０についても載せるだけの構造で、面倒な作業が不要である。
なお、上記実施の形態では、結合具５０に段ボールを用いたが、必ずしも段ボール製とする必要はなく、樹脂シートを用いてもよいし、粘着テープ等を使用して結合してもよいし。また、プラスチック製の手掛け具を手掛け穴に装着して結合してもよく、要するに箱本体と外枠を上下方向に移動不能に結合できればよい。
また、上記実施の形態では、外枠２０の外側面に補強枠３０を嵌合しているが、補強枠３０は無くてもよい。
【図面の簡単な説明】
【００３５】
【図１】図１は本発明の実施の形態に係る物品保存箱の概略分解斜視図である。
【図２】図２（Ａ）は図１の物品保存箱を積み上げた状態を示す斜視図、同図（Ｂ）は２段に積み上げた物品保存箱を前後方向に切断して示す断面図、同図（Ｃ）は同図（Ｂ）のＣ−Ｃ線断面図、同図（Ｄ）は積載面となる外枠の上下端面を示す部分拡大断面図である。
【図３】図３は図１の物品保存箱の箱本体を示すもので、同図（Ａ）は概略斜視図、同図（Ｂ）は平面図、同図（Ｃ）は折り畳み途中の状態を示す平面図、同図（Ｄ）は折り畳んだ状態の側面図、同図（Ｅ）は展開図、同図（Ｆ）は敷板を示す平面図である。
【図４】図４は図１の物品保存箱の外枠を示すもので、（Ａ）は概略斜視図、同図（Ｂ）は上端面を示す部分拡大斜視図、同図（Ｃ）は横ずれ規制部の凸部と凹部の係合関係を説明するための正面図、同図（Ｄ）は同図（Ｃ）の一部を断面にして示す側面図、同図（Ｅ）乃至（Ｇ）は横ずれ規制部の他の態様を示す概略側面図である。
【図５】図５（Ａ）は図４の外枠を展開したブランクを示す図、同図（Ｂ）は同図（Ａ）のブランクの組立状態を示す図である。
【図６】図６は図１の物品保存箱の補強枠を示すもので、同図（Ａ）は概略斜視図、同図（Ｂ）は展開図、同図（Ｃ）は分解斜視図である。
【図７】図７（Ａ）乃至（Ｃ）は図１の物品保存箱の付属具としての蓋を示すもので、同図（Ａ）は概略斜視図、同図（Ｂ）は展開図、同図（Ｃ）は折り線の切り込み状態を示す概略拡大部分斜視図、同図（Ｄ）乃至（Ｆ）は図１の物品保存箱の結合具を示すもので、同図（Ｄ）は結合具で結合された手掛け穴部分の部分拡大断面図、同図（Ｅ）は結合具の展開図、同図（Ｆ）は結合具を折り線で折った状態の概略斜視図である。
【符号の説明】
【００３６】
１  物品保存箱
３，４  前側壁，後側壁
７  手掛け穴
８  手掛け部
８１，８２，８３，８４  角部
１０  箱本体
１０Ａ  胴部
１１，１２  前側壁，後側壁、１３，１４  左端壁，右端壁
１５  底壁
１５Ａ，１５Ｂ  底壁構成板
１５１，１５２  前底壁フラップ，後底壁フラップ
１５１ａ，１５２ａ  突出部
１５３，１５４  左底壁フラップ，右底壁フラップ
ｎ１，ｎ２  折り線
１７  手掛け穴
Ｃ１１，Ｃ１２，Ｃ１３，Ｃ１４  角部
１０Ｂ，１０Ｃ  折り畳み面
１１０  ブランク
２０  外枠
２１，２２  前側壁，後側壁
２１１，２２１  前内側壁，後内側壁
２１２，２２２  前外側壁，後外側壁
２３，２４  左端壁，右端壁
２３１，２３２  左内端壁，右内端壁
２４１，２４２  左外端壁，右外端壁
Ｃ２１，Ｃ２２，Ｃ２３，Ｃ２４  角部
２７  手掛け穴
７０  横ずれ規制部
７１  凸部
７１ａ  凸部上面、７１Ｌ，７１Ｒ  左端部，右端部
７２  凹部
７２ａ  凹部底面、７２Ｌ，７２Ｒ  左端部，右端部
７３，７４  段差部
７５  凸部，７６  凹部
１２０  ブランク
ｍ２１，ｍ２２，ｍ２３，ｍ２４  折り線
ｎ２１，ｎ２２，ｎ２３，ｎ２４  下端折り線
ｓ１，ｓ２，ｓ３  スリット
１２１  連結片、１２１ａ  凹部
１２２  切り欠き、１２２ａ  凸部
７１１  内側凸部、７１２  外側凸部
７２１  内側凹部、７２２  外側凹部
２１Ａ，２２Ａ  抜き穴、
２３１，２３２  内端壁、外端壁
２７１  内側手掛け穴、２７２  外側手掛け穴
３０  補強枠
３１，３２  前側壁，後側壁、３３，３４  左端壁，右端壁
Ｃ３１，Ｃ３２，Ｃ３３，Ｃ３４  面取り角部
３７１  凸片、３７２  切り欠き
３７  手掛け穴
１３１，１３２  ブランク
ｍ３１〜ｍ３４，ｍ１３１〜ｍ１３４  折り線
１３３，１３４  連結片
４０  敷板
４１，４１  コーナーカット部
１１０  ブランク（箱本体）
ｍ１１〜ｍ１８  折り線
ｎ１，ｎ２  折り線
１５５，１５６  連結片部
５０  結合具
ｍ５１，ｍ５２，ｍ５３，ｍ５４  折り線
５１，５２，５３  幅広部
５４，５５  幅狭部
６０  蓋
６０１  内蓋、６０２  外蓋、
ｍ６１  折線
６１，６２  切り欠き
６１１  内側切り欠き、６１２  外側切り欠き
６２１  内側切り欠き、６２２  外側切り欠き
１６０  ブランク
６２Ａ  抜き穴
【図１】
2006341853.tif 000003
【図２】
2006341853.tif 000004
【図３】
2006341853.tif 000005
【図４】
2006341853.tif 000006
【図５】
2006341853.tif 000007
【図６】
2006341853.tif 000008
【図７】
2006341853.tif 000009